(57)【要約】  【課題】  ウェブブラウザの起動を、チャンネル選局と同様な感覚で実行できるようにする。  【解決手段】  リモートコントローラ１２４のチャンネルアップ／ダウンボタン２０３によって選択される複数のポジションの一つに対応させて、ウェブブラウザ起動コマンドを記憶させておき、チャンネルアップ／ダウンボタン２０３によってチャンネルを連続的に切換える処理の過程で、ウェブブラウザ起動コマンドが格納されたポジションが選択されたら、ウェブブラウザが起動するように構成した。  【選択図】図１１
2006019779.tif 000002
【特許請求の範囲】
【請求項１】
選局データに基づいて、複数の放送チャンネルのいずれかを選局するチューナと、
起動制御信号によって起動され、通信手段を介して外部ウェブサイトからウェブページの情報を取得して表示可能なブラウザ画面を構築する情報取得手段と、
前記複数の選局データと前記軌道制御信号を保存する保存手段と、
前記複数の選局データと前記起動制御信号を連続的に読み出して、選局データを前記チューナに供給し、前記起動制御信号を前記情報取得手段に供給する制御手段と、
を具備したことを特徴とするテレビジョン受像機。
【請求項２】
選局データに基づいて、複数の放送チャンネルのいずれかを選局するチューナと、
起動制御信号によって起動され、通信手段を介して外部ウェブサイトからウェブページの情報を取得して表示可能なブラウザ画面を構築する情報取得手段と、
前記複数の放送チャンネルの切換を実行する際にユーザが操作するチャンネル切換操作ボタンを含む操作入力手段と、
前記複数の選局データと前記起動制御信号を保存する保存手段と、
前記チャンネル切換操作ボタンによって前記保存手段から前記複数の選局データのいずれか一つもしくは前記起動制御信号を選択的に読み出して前記チューナまたは前記情報取得手段に供給し、チャンネル選局もしくは情報取得手段の起動を実行する制御手段と、
を具備したことを特徴とするテレビジョン受像機。
【請求項３】
前記チャンネル切換操作ボタンがチャンネルアップ／ダウンボタンであることを特徴とする請求項２に記載のテレビジョン受像機。
【請求項４】
複数の放送チャンネルのいずれかを選局するチューナの前記チャンネルを切換えるためのデータと、通信手段を介して外部ウェブサイトからウェブページの情報を取得して表示可能なブラウザ画面を構築する情報取得手段を起動する起動制御信号を択一的に読み出して前記チューナのチャンネル切換と前記情報取得手段の起動処理を実行させるようにしたことを特徴とするテレビジョン受像機のウェブブラウザ起動方法。
【請求項５】
複数の放送チャンネルのいずれかを選局するチューナの前記チャンネルを切換えるための複数のデータと、通信手段を介して外部ウェブサイトからウェブページの情報を取得して表示可能なブラウザ画面を構築する情報取得手段を起動する起動制御信号を、チャンネル切換操作ボタンと関連付けて保存するステップと、
前記チャンネル切換操作ボタンによって、前記複数のデータのいずれか一つもしくは前記起動制御信号を択一的に読み出してチャンネル切換もしくは情報取得手段の起動を実行させるステップと、
でなることを特徴とするテレビジョン受像機のウェブブラウザ起動方法。
【請求項６】
前記チャンネル切換操作ボタンがチャンネルアップ／ダウンボタンであることを特徴とする請求項５に記載のテレビジョン受像機のウェブブラウザ起動方法。
【発明の詳細な説明】
【技術分野】
【０００１】
この発明は、テレビジョン受像機に関し、特にブラウザソフトを具備して外部のウェブサイトにアクセスできる機能を備えたテレビジョン受像機に関する。
【背景技術】
【０００２】
テレビジョン受像機で受信できる放送としては、従前の地上波アナログ放送、放送衛星（Broadcasting Satellite）及び通信衛星（Communications Satellite）を利用した放送に加え、地上波デジタル放送が一部の地域で実施され、視聴できるチャンネル数が増え、放送番組の内容も多様化してきている。
【０００３】
他方で、インターネットを利用して外部ウェブサイトにアクセスできるようにしたテレビジョン受像機が市場に提供されつつあり、ユーザが取得できる情報は益々増大してくるものと思われる。
【０００４】
それに伴って、テレビジョン受像機の機能も複雑化してきている。例えば放送番組を視聴するには、従前からのチャンネル選局を実施する必要があるが、インターネットで外部ウェブサイトにアクセスするためにはブラウザを起動する必要がある。
【０００５】
放送番組の画像もインターネットのウェブサイトの画像も、テレビジョン受像機の表示部に表示されるものであり、インターネットのウェブサイトを放送番組の一つとして捕らえ、チャンネル選局と同様の操作でその画像を表示できるようにすれば、使い勝手がより向上すると思われる。
【０００６】
例えば、テレビジョン受像機においては、複数のチャンネル選局ボタンが設けられており、この選局ボタンは、当然ながら放送チャンネルに対応しているものであるが、放送の行われていないチャンネルも存在するものであり、その選局ボタンをインターネット接続用に利用したり、あるいは選局ボタンに追加してインターネット専用のボタンを設けるようにすれば、チャンネル選局と同様な操作でインターネット接続を実現することができる。
【０００７】
その結果、テレビジョン受像機の機能として通常設けられているチャンネルを１ずつ順番に切換えていく、いわゆるアップ／ダウン選局を実行する際に、その一環としてインターネット接続をも実行できるようになり、よりユーザフレンドリーな操作性を実現できると思われるが、従来そのような点に言及した提案はなされていない。
【０００８】
従来、例えば、特許文献１には、放送チャンネルを選択するためのチャンネルボタンと、インターネットにアクセスするためのインターネットボタンを画面表示させて、チャンネル選局とインターネットアクセスを実行できるようにした提案がなされているが、この提案でも、チャンネル選局と、インターネットアクセスは、それぞれ個々に操作する必要があり、使い勝手がいいとは言えない。
【特許文献１】特開２００２−３４４９４３号公報
【発明の開示】
【発明が解決しようとする課題】
【０００９】
以上のように、従来、インターネット接続機能を備えたテレビジョン受像機において、インターネットへ接続をあたかも、チャンネルの選局と同様に実行できるようにした提案はなされておらず、使い勝手の向上が要望されていた。
【００１０】
本発明は、以上の点に鑑みてなされたものであり、インターネット接続操作を、チャンネル選局と同様の操作で実行できるようにした、テレビジョン受像機を提供することを目的としている。
【課題を解決するための手段】
【００１１】
本発明のテレビジョン受像機は、選局データに基づいて、複数の放送チャンネルのいずれかを選局するチューナと、起動制御信号によって起動され、通信手段を介して外部ウェブサイトからウェブページの情報を取得して表示可能なブラウザ画面を構築する情報取得手段と、前記複数の選局データと前記軌道制御信号を保存する保存手段と、前記複数の選局データと前記起動制御信号を連続的に読み出して、選局データを前記チューナに供給し、前記起動制御信号を前記情報取得手段に供給する制御手段と、を具備したことを特徴とする。
【００１２】
本発明のテレビジョン受像機は、選局データに基づいて、複数の放送チャンネルのいずれかを選局するチューナと、起動制御信号によって起動され、通信手段を介して外部ウェブサイトからウェブページの情報を取得して表示可能なブラウザ画面を構築する情報取得手段と、前記複数の放送チャンネルの切換を実行する際にユーザが操作するチャンネル切換操作ボタンを含む操作入力手段と、前記複数の選局データと前記起動制御信号を保存する保存手段と、前記チャンネル切換操作ボタンによって前記保存手段から前記複数の選局データのいずれか一つもしくは前記起動制御信号を選択的に読み出して前記チューナまたは前記情報取得手段に供給し、チャンネル選局もしくは情報取得手段の起動を実行する制御手段と、を具備したことを特徴とする。
【００１３】
本発明のテレビジョン受像機のウェブブラウザ起動方法は、複数の放送チャンネルのいずれかを選局するチューナの前記チャンネルを切換えるためのデータと、通信手段を介して外部ウェブサイトからウェブページの情報を取得して表示可能なブラウザ画面を構築する情報取得手段を起動する起動制御信号を択一的に読み出して前記チューナのチャンネル切換と前記情報取得手段の起動処理を実行させるようにしたことを特徴とする。
【００１４】
本発明のテレビジョン受像機のウェブブラウザ起動方法は、複数の放送チャンネルのいずれかを選局するチューナの前記チャンネルを切換えるための複数のデータと、通信手段を介して外部ウェブサイトからウェブページの情報を取得して表示可能なブラウザ画面を構築する情報取得手段を起動する起動制御信号を、チャンネル切換操作ボタンと関連付けて保存するステップと、前記チャンネル切換操作ボタンによって、前記複数のデータのいずれか一つもしくは前記起動制御信号を択一的に読み出してチャンネル切換もしくは情報取得手段の起動を実行させるステップと、でなることを特徴とする。
【発明の効果】
【００１５】
本発明によれば、インターネット接続操作を、チャンネル選局と同様の操作で実行できるようになるものである。
【発明を実施するための最良の形態】
【００１６】
以下、図面を参照して、この発明のテレビジョン受像機を詳細に説明する。図１は、この発明のテレビジョン受像機１００の一実施の形態を示す回路ブロック図である。
【００１７】
図１において、テレビジョン受像機１００は例えば地上波デジタル放送を受信する機能を備えるものであり、放送電波をキャッチするアンテナ１０１に接続されたアンテナ入力端子１０２を有する。アンテナ入力端子１０２は、チューナ１０３に接続され、アンテナ１０１からの放送信号をケーブルを介して受けて、これをチューナ１０３に供給する。
【００１８】
チューナ１０３は、放送チャンネルを選局すると共に、選局された受信信号をＯＦＤＭ（Orthogonal Frequency Division Multiplexing）復調し、さらに誤り訂正等の処理を施して、ＭＰＥＧ（Moving Picture Experts Group）２のＴＳ（Transport Stream）信号としてデスクランブラ１０４に出力する。デスクランブラ１０４では、送信側においてスクランブル処理が掛けられている信号に対して、それを解除する処理を施してＤＥＭＵＸ（デマルチプレクサ）１０５に供給する。
【００１９】
ＤＥＭＵＸ１０５では、パケット化されて多重伝送されている番組を構成するＰＥＳ（Packetized Elementary Stream）を分離抽出してデコーダ１０６に導出する。デコーダ１０６では、ＭＰＥＧ２規格に基づいて、映像のＰＥＳを復号して非圧縮のデジタル映像信号として合成器１０７に出力すると共に、音声ＰＥＳを復号して非圧縮のデジタル音声信号として音声信号処理部１０８に出力する。
【００２０】
合成器１０７には、Ｗｅｂ（ウェブ）ブラウザ１０９からブラウザ画像を構成する信号が供給されてデコーダ１０６から出力されるデジタル映像信号に重畳される。Ｗｅｂブラウザ１０９からの信号が存在しない場合には、合成器１０７からの信号がそのまま出力される。
【００２１】
合成器１０７の出力は、合成器１１０に供給され、ここでさらにＯＳＤ（On Screen Display）信号生成部１１１からのＯＳＤ信号が重畳されて映像信号処理部１１２に導出される。合成器１１０においても、ＯＳＤ信号が存在しない場合には、合成器１０７からの信号をそのまま出力する。
【００２２】
映像信号処理部１１２においては、供給される映像信号を、標準テレビジョンフォーマットに変換して、表示部１１３に出力し、その映像を表示させる。
【００２３】
また、デコーダ１０６から出力されるデジタル音声信号は、音声信号処理部１０８でアナログ信号に変換され、スピーカ等で構成される音声出力部１１４から出力される。
【００２４】
さらに、テレビジョン受像機１００は、ＣＰＵ（Central Processing Unit）１１４を備え、このＣＰＵ１１５がバス１１６に接続されている。バス１１６には、ＲＯＭ（Read Only Memory）１１７と、ＲＡＭ（Random Access Memory）１１８が接続されている。
【００２５】
ＲＯＭ１１７は、ＣＰＵ１１５によって処理を実行するための各種アプリケーションプログラムの他、ＯＳＤ信号生成のための各種データ等が保存され、さらにチャンネル選局のためのデータが保存されている。また、ＲＯＭ１１７は、データを書き込むことが可能な不揮発性メモリ部を含んでいる。ＲＡＭ１１８は、ＣＰＵ１１５がワークメモリとして使う。
【００２６】
ＣＰＵ１１５は、テレビジョン受像機１００の全体の動作の制御、機能の調整等を実行するものであり、この目的のため、バス１１６を介してチューナ１０３、デスクランブラ１０４、ＤＥＭＵＸ１０５、デコーダ１０６、Ｗｅｂブラウザ及びＯＳＤ信号生成部１１１に接続されている。
【００２７】
それによって、ＣＰＵ１１５は、チューナ１０３による選局処理、受信した信号がスクランブル処理されている場合のデスクランブラ１０４によるスクランブル解除処理、ＤＥＭＵＸ１０５によるパケット選択処理、デコーダ１０６によるＭＰＥＧ２デコード処理、Ｗｅｂブラウザ１０９の立ち上げ、立ち下げ処理及びＯＳＤ信号生成部１１１でのＯＳＤ信号処理を制御する。
【００２８】
さらにバス１１６には、通信Ｉ／Ｆ１１９が接続され、端子１２０を介してインターネット１２１に接続する機能を備えている。通信Ｉ／Ｆ１１８は、例えばモデムあるいはＥｔｈｅｒｎｅｔ（登録商標）による通信機能を有し、それによってインターネット１２１に接続されたサーバ１２２に接続可能である。
【００２９】
また、テレビジョン受像機１００は、ユーザが操作するための操作入力部１２３と、リモートコントローラ１２４からのリモートコントロール（リモコン）信号を受信するリモコンＩ／Ｆ（Interface）１２５を備えており、操作入力部１２３はキーボードＩ／Ｆ１２６を介してバス１１６に接続され、リモコンＩ／Ｆ１２５は直接バス１１６に接続されている。
【００３０】
操作入力部１２３は、例えばテレビジョン受像機１００の前面パネルに設けられた複数のスイッチで構成され、リモートコントローラ１２４と共に、ユーザが操作することで、テレビジョン受像機１００の機能調整等を実行する。
【００３１】
図２は、図１に示すリモートコントローラ１２４のボタン配列の具体例を示す図である。すなわち、リモートコントローラ１２４は、テレビジョン受像機１００の電源をオンオフさせるための電源ボタン２０１と、チャンネルを直接的に選局する場合等に操作して数字データを出力する数字ボタン群２０２とチャンネル選局を連続的に実行させるためのチャンネルアップ／ダウンボタン２０３を備えている。チャンネルアップ／ダウンボタン２０３は、例えば中央部を支点としてシーソー動作をするボタンであり、図の上方端を操作するとチャンネルをアップし、下方端を操作するとダウンするようなリモコン信号を出力するものである。
【００３２】
さらにリモートコントローラ１２４は、設定メニューを表示させるためのメニューボタン２０４と、設定メニューの選択項目にカーソルを移動するためのカーソルボタン２０５と、カーソルが移動した選択項目を登録するための決定ボタン２０６を備え、さらにブラウザを起動させると共に、通信Ｉ／Ｆ１１８を起動させるためのインターネットボタン２０７を備えている。
【００３３】
以上のように構成されたテレビジョン受像機１００において、ユーザが番組を視聴するためにチャンネルを切換えるには、リモートコントローラ１２４の数字ボタン群２０２で、受信したいチャンネル番号の数字を直接的に入力する。あるいは、チャンネルアップ／ダウンボタン２０３を操作して、目的のチャンネルまで、チャンネルを連続的に切換える。
【００３４】
ＣＰＵ１１５は、選局されたチャンネル番号に対応する選局データをＲＯＭ１１７から読み出して、チューナ１０３に供給して選局を実行させる。チューナ１０３で選局された放送チャンネルの受信信号は、ＤＭＵＸ１０５で番組を構成するＰＥＳが抽出されてデコーダ１０６で復号され、映像信号については映像信号処理部１１１を介して表示部１１２で表示され、音声信号については音声信号処理部１０８を介して音声出力部１１３から音声として出力される。
【００３５】
また、インターネット１２１によってサーバ１２２から情報を得ようとする場合には、リモートコントローラ１２４のインターネットボタン２０７を操作する。それによって、ＣＰＵ１１５は、Ｗｅｂブラウザ１０９を立ち上げると共に、通信Ｉ／Ｆ１１９を起動して所定のＵＲＬ（Uniform Resource Locator）のウェブページへのアクセスを開始する。
【００３６】
Ｗｅｂブラウザ１０９からのブラウザを構成する画像信号は、合成器１０７から合成器１１０と映像信号処理部１１２を介して表示部１１３に供給されて表示される。
【００３７】
ウェブページへのアクセスが完了したら、サーバの情報をインターネット１２１を介して通信Ｉ／Ｆ１１９で取り込み、ウェブブラウザ１０９によってページ画像信号を構築して、合成器１０７、合成器１１０及び映像信号処理部１１２を介して表示部１１３に導出して表示させる。
【００３８】
表示部１１３に表示されたウェブページ内に存在するリンクＵＲＬ情報に対しては、リモートコントローラ１２４のカーソルボタン２０５と決定ボタン２０６によってアクセスすることが可能である。
【００３９】
次に本発明の構成について説明するが、その前提となるチャンネル選局機能についてまず説明する。地上波デジタルテレビジョン放送は、ＵＨＦ（Ultra High Frequency）帯の信号を搬送波として用いており、チャンネルとしては、１３チャンネルから６２チャンネルが割り当てられている。放送事業者（放送局）とチャンネルの関係は、ＡＲＩＢ（Association of Radio Industries and Businesses）のＴＲ−Ｂ１４「地上波デジタルテレビジョン放送運用技術資料」の第２編に示されているように地域毎に決められており、テレビジョン受像機を新規に購入したり、あるいは居住地を変更した場合には、ユーザは、次の手順で物理チャンネル（放送チャンネル）と操作チャンネル（ポジション）の設定をする必要がある。
【００４０】
すなわち、まず、郵便番号等の居住地情報を入力してテレビジョン受像機が設置された地域を特定する。次いで全てのチャンネル（１３〜６２）について放送が実行されている否かを判別すると共に、放送信号の付加情報に含まれるＮＩＴ（Network Information Table）のサービス記述子と、Ｓｅｒｖｉｃｅ＿ｉｄによって、当該地域におけるサービスリスト（受信可能なサービスを特定するリスト）を取得して、これをメモリに記憶させる。
【００４１】
さらにまた、ＮＩＴ内に記述されている、ｒｅｍｏｔｅ＿ｃｏｎｔｒｏｌ＿ｋｅｙ＿ｉｄによって、リモートコントローラのボタン番号を割り付ける。
【００４２】
以上の処理を実行することによって、リモートコントローラの数字ボタンを操作することで、その数字に割り付けられた放送（サービス）を受信することかができる。
【００４３】
例えば、東京多摩地区においては、図３に示すように、ＮＨＫ（日本放送協会）では、チャンネル２７で総合放送が行われ、チャンネル２６で教育放送が行われるが、リモートコントローラの番号ボタンは、それぞれ１と３が割り付けられる。すなわちポジション１と３が設定されることになる。
【００４４】
ポジション数は、原理的にはチャンネル数と同じ数だけ設けられ、ＵＨＦ
では５０となる。本発明は、図４に示すように、その５０ポジションの外側に、１ポジションを設け、それを放送チャンネルに対応付けるのではなく、ウェブブラウザ起動に割り付けるものである。
【００４５】
あるいは、図５に示すように５０ポジションの中で放送が実行されていないポジションをウェブブラウザ起動ポジションに割り付けるようにしたものである。
【００４６】
それによって、リモートコントローラ１２４のチャンネルアップ／ダウンボタン２０３を操作して、受信放送局（サービス）を連続的に切換える場合、ウェブブラウザに割り付けられたポジションが選択された際に、ウェブブラウザを起動させることができるものである。
【００４７】
すなわち、ウェブブラウザの起動をあたかもチャンネルの切換えと同様の操作によって実行させることが可能となるものである。
【００４８】
ウェブブラウザの起動の所定ポジションへの割り付けは、例えば設定メニューにて実行可能である。図６は、設定メニューの一例を示すものであり、ユーザがリモートコントローラ１２４のメニューボタン２０４を操作することによって、ＣＰＵ１１５がＯＳＤ信号生成部１１１を駆使して、ＧＵＩ（Graphical User Interface）形式のメニュー画像を構築するＯＳＤ信号を生成して、これを合成器１１０、映像信号処理部１１２を介して表示部１１３に導出して表示させる。
【００４９】
図６において、画面６０１には、設定項目の一つとして「インターネット設定」６０２が表示されている。ユーザは、リモートコントローラ１２４のカーソル移動ボタン２０５によって、枠で示すカーソル６０３を「インターネット設定」６０２に移動して決定ボタン２０６を操作する。それによって、メニュー画面が図７に示すインターネット設定画面７０１に切換わる。
【００５０】
図７において、インターネット設定画面７０１には、選択項目として、「ブラウザ起動ポジション設定」７０２が表示され、枠で示すカーソル７０３を「ブラウザ起動ポジション設定」７０２に移動して決定ボタン２０６を操作する。それによって、メニュー画面が図８に示すブラウザ起動ポジション設定画面８０１に切換わる。
【００５１】
図８において、ブラウザ起動ポジション設定画面８０１には、選択項目として「任意のポジションに設定する」８０２と「特定のポジションに設定する」８０３が表示され、枠で示すカーソル８０４を選択したい項目に移動して決定ボタン２０６を操作する。
【００５２】
「特定のポジションに設定する」８０３が選択された場合、例えば図４に示すように、５１ポジションがブラウザ起動ポジションに設定され、ＲＯＭ１１７にその情報が書き込まれる。
【００５３】
また、「任意のポジションに設定する」８０２が選択された場合には、図９に示す画面９０１が表示される。すなわち、ＣＰＵ１１５によって、ＲＯＭ１１６に記憶されている選局データから空きポジションを特定してそのポジション番号９０２を表示させる。ユーザは表示された空きポジション番号の中から所望のポジション番号をカーソル９０４で選択して決定ボタン２０６を操作する。それによって、ＣＰＵ１１５は、図５に示すように、ＲＯＭ１１７に記憶されているそのポジションの選局データを、ウェブブラウザ起動コマンドに書き換える。
【００５４】
一般に、テレビジョン受像機においては、アップ／ダウン選局を実行させる際に、空きポジションをスキップして、実際に放送が存在するポジションのみを順次選択するように設定する機能を備えており、ここにおいてもその機能を適用することが可能である。  
それによって、より迅速に、チャンネルの切換操作の一環としてウェブブラウザを起動することができるものである。
【００５５】
図１０は、ブラウザ起動ポジション設定処理を改めて説明するためのフローチャートである。図１０において、ステップＳ１００１で開始され、ステップＳ１００２でリモートコントローラ１２４のメニューボタン２０４を操作して設定メニュー画面を表示する。
【００５６】
次いで、ステップＳ１００３でメニュー画面のブラウザ起動ポジション設定が選択されたか否かが判定され、選択されたらステップＳ１００４で任意のポジションに設定するが選択されたか否かが判定され、選択されなかった場合には、ステップＳ１００５で予め設定されているポジションをブラウザ起動ポジションとしてＲＯＭ１１７に書き込んで、ステップＳ１００６で処理を終了する。
【００５７】
ステップＳ１００４で任意のポジションに設定するが選択された場合には、ステップＳ１００７でＲＯＭ１１７から空きポジションデータを読み出して表示部１１３で表示させる。
【００５８】
次いで、ステップＳ１００８でユーザによってポジションが選択されたか否かの判定がなされ、選択された場合に、ステップＳ１００９で選択されたポジションを起動ポジションとしてＲＯＭ１１７に書き込んでステップＳ１００６で処理を終了する。
【００５９】
図１１は、リモートコントローラ１２４のチャンネルアップ／ダウンボタン２０３によって、アップダウン選局とブラウザの起動を一貫して行う際の処理を説明するためのフローチャートである。
【００６０】
図１１において、ステップＳ１１０１で開始され、ステップＳ１１０２でテレビジョン受像機の電源がオンに切換わったか否かの判定がなされ、切換わった場合に、ステップＳ１１０３でポジション番号として初期値［ｐ］を設定する。この場合、初期値［ｐ］は例えば、電源がオフされた際に選局されていたポジションである。
【００６１】
次いで、ステップＳ１１０４でチャンネルアップ／ダウンボタン２０３が操作されたか否かの判定がなされ、操作された場合、ステップＳ１１０５で操作されたのがアップボタンか否かの判定がなされる。
【００６２】
アップボタンであった場合、ステップＳ１１０６でポジション番号を１アップする。なお、空きチャンネルスキップ機能が採用されている場合には、放送が行われている次のポジションになる。また、［ｐ］が最大値を超える場合には、［ｐ］は１に戻る。
【００６３】
ステップＳ１１０４でダウンボタンが操作されたと判定されたら、ステップＳ１１０７でポジション番号を１ダウンさせる。なお、空きチャンネルスキップ機能が採用されている場合には、放送が行われている次のポジションになる。また、［ｐ］が０になる場合は、［ｐ］は最大値である。
【００６４】
次いでステップＳ１１０８において、ステップＳ１１０６及びＳ１１０７で求められたポジション番号［ｐ］に対応するデータをＲＯＭ１１７から読み出す。
【００６５】
次に、ステップＳ１１１０で、ステップＳ１１０９で読み出されたデータがブラウザ起動コマンドであるか否かの判定がなされ、ブラウザ起動コマンドであった場合、ステップＳ１１１１でブラウザが既に起動中か否かの判定がなされ、起動されていない場合には、ステップＳ１１１１でブラウザを起動する。
【００６６】
次いで、ステップＳ１１１２で、電源がオフされたか否かの判定がなされ、電源がオフされていない場合には、ステップＳ１１０４に戻って再びチャンネルアップ／ダウンボタンが操作されたか否かの判定処理を行う。また、ステップＳ１１１０でブラウザ起動中である場合には、ステップＳ１１１１をスキップしてステップＳ１１１２に移る。
【００６７】
また、ステップＳ１１０９でブラウザ起動コマンドでないと判定された場合には、ステップＳ１１１３でポジション番号［ｐ］のチャンネル選局を実行してステップＳ１１１２に移動する。  
また、ステップＳ１１１２で電源がオフされたと判定されたら、ステップＳ１１１４で処理を終了する。
【００６８】
以上説明したように、本発明のテレビジョン受像機によれば、チャンネルアップダウン／ボタンによるチャンネル切換操作を実行する過程で、ウェブブラウザを起動することができるので、あたかもチャンネルを切換えるという感覚で表示部にブラウザ画像を表示させることができ、操作性を向上させることができるものである。
【図面の簡単な説明】
【００６９】
【図１】本発明に係るテレビジョン受像機の一実施の形態を示す回路構成図。
【図２】図１に示す装置に適用されるリモートコントローラの操作ボタン配列の一例を示す図。
【図３】図１に示す装置における選局ポジション番号と放送チャンネルの関係を説明するための図。
【図４】図１に示す装置において、ブラウザ起動コマンド割り付けの一実施の形態を説明するための図。
【図５】図１に示す装置において、ブラウザ起動コマンド割り付けの他の実施の形態を説明するための図。
【図６】図１に示す装置において、ブラウザ起動ポジション設定処理を設定メニューで実行する手順を説明するための図。
【図７】図１に示す装置において、ブラウザ起動ポジション設定処理を設定メニューで実行する手順を説明するための図。
【図８】図１に示す装置において、ブラウザ起動ポジション設定処理を設定メニューで実行する手順を説明するための図。
【図９】図１に示す装置において、ブラウザ起動ポジション設定処理を設定メニューで実行する手順を説明するための図。
【図１０】図１に示す装置において、ブラウザ起動ポジション設定処理を説明するためのフローチャート。
【図１１】図１に示す装置において、ブラウザ起動処理を説明するためのフローチャート。
【符号の説明】
【００７０】
１００…テレビジョン受像機
１０１…アンテナ
１０２…アンテナ入力端子
１０３…チューナ
１０４…デスクランブラ
１０５…ＤＥＭＵＸ
１０６…デコーダ
１０７…合成器
１０８…音声信号処理部
１０９…Ｗｅｂブラウザ
１１０…合成器
１１１…ＯＳＤ信号生成部
１１２…映像信号処理部
１１３…表示部
１１４…音声出力部
１１５…ＣＰＵ
１１６…バス
１１７…ＲＯＭ
１１８…ＲＡＭ
１１９…通信Ｉ／Ｆ
１２０…端子
１２１…インターネット
１２２…サーバ
１２３…操作入力部
１２４…リモートコントローラ
１２５…リモコンＩ／Ｆ
１２６…キーボードＩ／Ｆ
【図１】
2006019779.tif 000003
【図２】
2006019779.tif 000004
【図３】
2006019779.tif 000005
【図４】
2006019779.tif 000006
【図５】
2006019779.tif 000007
【図６】
2006019779.tif 000008
【図７】
2006019779.tif 000009
【図８】
2006019779.tif 000010
【図９】
2006019779.tif 000011
【図１０】
2006019779.tif 000012
【図１１】
2006019779.tif 000013